(57)【特許請求の範囲】
【請求項１】
壁面に取り付けられる送風装置であって、
筐体と、
前記壁面に固定されるとともに前記筐体が取り付けられる背板とを備え、
前記背板は、前記筐体が取り付けられる部分の上部に前記壁面から手前に向かって下方に傾斜する傾斜部材を備え、
前記傾斜部材は、前記筐体の上面全体を覆っている送風装置。
【請求項２】
前記傾斜部材は、前記背板に対して着脱可能である請求項１に記載の送風装置。
【請求項３】
前記背板が、前記筐体の背面を覆う背面部材である請求項１又は請求項２に記載の送風装置。
【請求項４】
前記背板は周縁部から突出する突出部を備えており、
前記筐体が前記突出部に外嵌する請求項１から請求項３のいずれかに記載の送風装置。
【請求項５】
前記筐体は、空気を吹出す吹出し口を備えおり、
前記吹出し口を開閉するとともに風向を調整するルーバが設けられており、
前記ルーバは前記吹出し口の周囲と密着する内面を有し、辺縁部分の前記内面側に段が設けられている請求項１から請求項４のいずれかに記載の送風装置。
【発明の詳細な説明】
【技術分野】
【０００１】
本発明は、壁面に取り付けられる送風装置に関するものである。
【背景技術】
【０００２】
従来の送風装置として、特許文献１に示すものがある。特許文献１に記載の送風装置は、壁面に取り付けられる空気調和機である。この空気調和機は、上部に設けられた吸込口から空気を吸い込み、下部に設けられた吹出口から調和された空気を吹出す。前記空気調和機は、前面パネルと、後面側に設けられたケーシングとを有している。前記空気調和機は、前記前面パネルと前記ケーシングとに囲まれた空間に、送風機と、熱交換器とが設けられている。
【０００３】
前記ケーシングには、下部に底板が、上端部に係合部が、それぞれ、設けられている。前記空気調和機は、壁面に固定されている据付板に前記ケーシングを係合させることで取り付けられる。前記据付板は、底板に当接する当接部と、係合部と対応する部分に設けられた係止部と、を有している。
【０００４】
前記空気調和機を前記壁面に取り付ける場合、まず、前記据付板が、ねじ、釘、ボルト等を用いて壁面にしっかり固定される。そして、必要に応じて、配管等の工事を行う。その後、前記据付板の前記係止部に前記ケーシングの前記係合部を係合させた後、前記ケーシングの前記底部を前記据付板の当接部の下部と接触させる。これにより、前記空気調和機は、前記据付板に取り付けられる。すなわち、前記空気調和機が、前記壁面に取り付けられる。
【０００５】
前記据付板を用いることで、前記空気調和機の前記壁面への取り付け、あるいは、前記壁面からの取り外しを容易に行うことが可能である。また、前記ケーシングの上端部の前記係合部を前記据付板の前記係止部に係合させる構成であるため、前記空気調和機は、前記吸込口が塞がれることなく、前記壁面に取り付けられる。
【先行技術文献】
【特許文献】
【０００６】
【特許文献１】特開２００９−２５７６４６号公報
【発明の概要】
【発明が解決しようとする課題】
【０００７】
上記従来の空気調和機のような構造物を、壁面から突出するように取り付ける場合、上面に塵や埃が堆積しやすくなる。そして、前記空気調和機は、通常、使用者の目線よりも高い位置に取り付けられることが多い。そのため、前記空気調和機の上面は、使用者の視覚になりやすく、清掃時に前記空気調和機に堆積した塵や埃が残ってしまい、周囲の環境悪化の原因になり得る。
【０００８】
また、前記据付板の前記係止部と前記ケーシングの前記係合部とを係合させることで、壁面に取り付けられる構成の前記空気調和機の場合、前記前面パネル、前記ケーシング等の外装部分と前記壁面との間に隙間ができやすい。そして、これらの隙間から塵や埃が侵入し残ってしまい、環境悪化の原因になり得る。
【０００９】
また、食品工場等の清浄な空気環境が要求される場合には、定期的に、前記壁面を含む空間全体を洗浄する場合もある。洗浄が行われる場所に上述のような隙間のある空気調和機を設置すると、隙間に塵や埃が残留してしまい、環境悪化の原因になり得る。
【００１０】
そこで、本発明は、塵や埃等の異物の上面への堆積やこれら異物や水の背面への侵入を抑制することができる送風装置を提供することを目的とする。
【課題を解決するための手段】
【００１１】
上記目的を達成するために本発明は、壁面に取り付けられる送風装置であって、筐体と、前記壁面に固定されるとともに前記筐体が取り付けられる背板とを備え、前記背板は、前記筐体が取り付けられる部分の上部に前記壁面から手前に向かって下方に傾斜する傾斜部材を備えている。
【００１２】
このような構成とすることで、送風装置の上面に塵、埃等の異物が載っても、傾斜部材を滑って落下しやすく、上面に異物が付着したり堆積したりするのを抑制することができる。また、傾斜部材を滑った異物は、送風装置の下部に落下する。送風装置の下方（例えば、床面）の清掃でよく、周囲の環境を清浄に保つための手間を少なくすることができる。さらには、上面が手前に向かって傾斜しているので、使用者の目線よりも高い位置に設置されていても、送風装置の上面を視認しやすく、使用者は、異物が堆積する前に付着した異物を取り除くことが可能である。
【００１３】
上記構成において、前記傾斜部材が、前記背板に対して着脱可能であってもよい。
【００１４】
上記構成において、前記背板が、前記筐体の背面を覆う背面部材として利用されていてもよい。このような構成とすることで、送風装置の部品点数を減らすことが可能である。また、筐体の重量を減らすことが可能であるため、背板にかかる重量を減らすことができる。これにより、背板の変形を抑制することができ、背板と壁面との間に隙間ができるのを抑制することが可能である。
【００１５】
上記構成において、前記背板は周縁部から突出する突出部を備えており、前記筐体が前記突出部に外嵌してもよい。このように構成することで、背板と筐体とを密着させることができる。なお、前記背板と前記壁面との境界部分にシール部が設けられていてもよい。シール部が設けられることで、壁面と背板との間に隙間が形成されにくくなり、異物や水等が侵入しにくくなる。
【００１６】
上記構成において、前記筐体は、空気を吹出す吹出し口を備えおり、前記吹出し口を開閉するルーバが設けられており、前記ルーバは前記吹出し口の周囲と密着する内面を有し、辺縁部分の前記内面側に段が設けられていてもよい。
【００１７】
ルーバが閉じられているときは、吹出し口も閉じられているので、水洗い時の水しぶきや水蒸気が吹出し口から侵入するのを抑制できる。また、筐体の外面に付着した水滴が筐体の外面に沿って流れ落ちてきた場合でも、ルーバの段が水を逃がす溝として働くため、表面の水を迅速に、下方に排出することが可能である。なお、ルーバの段は、使用者がルーバを手動で開閉するときに指をかける部分としても利用される。
【発明の効果】
【００１８】
本発明によると、塵や埃等の異物の上面への堆積やこれら異物や水の背面への侵入を抑制することができる送風装置を提供することができる。
【図面の簡単な説明】
【００１９】
【図１】本発明にかかる送風装置の一例の斜視図である。
【図２】図１に示す送風装置の一部を壁面から取り外した状態の斜視図である。
【図３】図１に示す送風装置の一部の断面図である。
【図４】図１に示す送風装置の一部を取り外した状態の断面図である。
【図５】壁面に取り付けられた状態の背板を示す斜視図である。
【図６】図５に示す背板の四角で囲んだ部分を拡大した斜視図である。
【図７】図４に示す送風装置のトップカバーの周囲を拡大した断面図である。
【図８】本発明にかかる送風装置に備えられたルーバの斜視図である。
【図９】図８に示すルーバを切断した断面を示す図である。
【図１０】壁面に取り付けられた背板への筐体の取り付けを示す斜視図である。
【図１１】壁面に取り付けられた筐体にフィルタユニットを取り付けた状態を示す斜視図である。
【図１２】本発明にかかる送風装置を壁面に取り付けた状態を示す斜視図である。
【発明を実施するための形態】
【００２０】
以下に本発明の実施形態について図面を参照して説明する。
【００２１】
（第１実施形態）
図１は、本発明にかかる送風装置の一例の斜視図である。図２は、図１に示す送風装置の一部を壁面から取り外した状態の斜視図である。図３は、図１に示す送風装置の一部の断面図である。図４は図１に示す送風装置の一部を取り外した状態の断面図である。なお、図３は、壁面に取り付けられている送風装置の筐体及び背板の断面を示している。
【００２２】
図１、図２に示すように、送風装置Ａは、筐体１０と、背板２０と、トップカバー３０（傾斜部材）と、送風ユニット４０と、フィルタユニット５０と、イオン発生ユニット６０と、ルーバ７０とを備えている。図２に示すように、送風装置Ａは壁面ＷＬを背に取り付けられる。そのため、以下の説明において、送風装置Ａの背面、前面については、壁面ＷＬに取り付けられた状態を基準としている。
【００２３】
筐体１０は送風装置Ａの外装部材である。筐体１０は、ケース１１と、フロントカバーと１２を有している。ケース１１は、背面に開口１１１を有する箱状の部材であり、内部に空間が形成されている。ケース１１は例えば、板金を折り曲げて形成されたもの、樹脂の一体成型によるもの等を用いて形成されるものを挙げることができるが、これに限定されるものではない。
【００２４】
ケース１１の前面にはフロントカバー１２が、着脱可能に取り付けられる。また、ケース１１の背面は、背板２０に覆われている。すなわち、背板２０がケース１１の背面部材として利用される。背板２０の上部には、トップカバー３０が設けられている。なお、背板２０およびトップがバー３０の詳細については、後述する。図２に示すように、ケース１１の上面１１０には、背面側に延びるスリット１１２が形成されている。スリット１１２は、背板２０の後述する上面保持板２２の筒部材２２１が侵入するための切欠きである。
【００２５】
ケース１１についてさらに説明する。ケース１１は、フィルタ保持部と１３と、通風路１４と、吸込口１５と、吹出し口１６とを備えている。フィルタ保持部１３には、通過する空気に含まれる塵、埃等の異物を捕集するフィルタユニット５０が着脱可能に取り付けられる。通風路１４の内部には、送風ユニット４０が取り付けられている。フィルタ保持部１３は、通風路１４の前に設けられており、フィルタ保持部１３と通風路１４とは、中央に開口を有する仕切で仕切られている。そのため、フィルタ保持部１３と通風路１４とは空気が流動可能（通風可能）である。
【００２６】
そして、ケース１１は、吸込口１５と吹出し口１６とを備えている。吸込口１５は、ケース１１に空気を流入させるための開口である。吸込口１５は、ケース１１の前面に設けられている。吸込口１５は、フィルタ保持部１３とつながっている。また、吹出し口１６は、内部の空気を外部に吹出すための開口である。吹出し口１６は、ケース１１の下部の前面側に空気を吹出すことができる位置に設けられている。そして、吹出し口１６は通風路１４とつながっている。すなわち、ケース１１の内部は、吸込口１５、フィルタ保持部１３、通風路１４及び吹出し口１６が通風可能につながっており、この順番で空気が流れる。
【００２７】
フロントカバー１２は、吸込口１５を覆う部材である。フロントカバー１２はケース１１の内部の機器に使用者の手等が不意に侵入するのを抑制する保護部材であるとともに、ケース１の強度部材としての役割も果たす。また、フロントカバー１２を取り外すことで、フィルタユニット５０を保持するフィルタ保持部１３が露出する。フロントカバー１２には、開口１２１が設けられており、吸込口１５への空気の流入は開口１２１を介して行われる。なお、開口１２１は、図１に示すようにフロントカバー１２の中央部分に設けられているが、これに限定されない。複数個の開口が設けられていてもよいし、フロントカバー１２が格子状に形成され、全体から空気を流入させる構成であってもよい。吸込口１５に空気を流入させるとともに強度を保つことができる構成を広く採用することができる。
【００２８】
背板２０は、筐体１０の背面、すなわち、ケース１１の背面を覆っている。また、トップカバー３０は、筐体１０の上面、すなわち、ケース１１の上面１１０を覆っている。なお、背板２０及びトップカバー３０の詳細については、後述する。
【００２９】
送風ユニット４０は、ファン４１と、モータ４２とを備えている。ファン４１は、回転によって空気の流れを発生させる。ここでは、回転によって径方向外側に空気の流れを発生させる遠心ファンである。しかしながら、これに限定されるものではなく、空気の流れを発生することができるファンを広く採用することができる。
【００３０】
モータ４２は、電力が供給されることで回転する出力軸を有している。モータ４２は仕切に固定されている。そして、モータ４２の出力軸には、ファン４１が固定されている。モータ４２が回転されることで、ファン４１が回転される。ファン４１が回転することで、通風路１４内に空気の流れ、すなわち、気流が発生する。通風路１４はファン４１によって発生した気流を、吹出し口１６に向ける形状となっている。通風路１４は発生した気流の漏れを抑制するため、仕切の開口と吹出し口１６以外に開口が含まれないことが好ましい。
【００３１】
送風ユニット４０が駆動されることで、通風路１４内に、吹出し口１６に向かう気流が発生する。この気流が発生することで、フロントカバー１２の開口１２１から空気が吸い込まれる。そして、吸い込まれた空気は、吸込口１５、フィルタ保持部１３（に備えられたフィルタユニット５０）を通過し、仕切の開口から通風路１４に流入する。すなわち、フロントカバー１２の開口１２１、吸込口１５、フィルタ保持部１３、通風路１４及び吹出し口１６に流れる気流が発生する。
【００３２】
フィルタユニット５０は、フィルタ保持部１３に着脱可能に取り付けられ、通過する空気（気流）から塵、埃等の異物を捕集する。フィルタユニット５０は、第１フィルタ５１、第２フィルタ５２及びフィルタホルダ５３とを備えている。第１フィルタ５１及び第２フィルタ５２は、フィルタホルダ５３に着脱可能に取り付けられている。第１フィルタ５１および第２フィルタ５２は、空気は透過するが、異物は通過しない材料、例えば、不織布で形成されている。第１フィルタ５１は第２フィルタ５２よりも大きな異物を捕集する、すなわち、第１フィルタ５１は第２フィルタ５２よりも目が粗いフィルタである。フィルタホルダ５３は、第１フィルタ５１及び第２フィルタ５２を取り付ける部分は、空気が通過可能な構成を有している。
【００３３】
イオン発生ユニット６０は、イオン発生電極６１を備えている。イオン発生ユニット６０は、イオン発生電極６１が通風路１４に突出して設けられている。イオン発生電極６１は、通風路１４の吹出し口１６の近傍に設けられている。すなわち、イオン発生電極６１は送風ユニット４０で発生した気流と接触する。なお、イオン発生ユニット６０は、従来よく知られた構成であるため、詳細な説明を省略する。
【００３４】
ルーバ７０は、筐体１０、すなわち、ケース１１の吹出し口１６を開閉するとともに、吹出し口１６から吹出される空気の流れ方向を制御する。ルーバ７０は、送風装置Ａの動作に連動して自動で、開閉及び変動してもよいし、使用者によって手動で開閉されるものであってもよい。ルーバ７０は、使用者が手動で開閉するものとする。なお、ルーバ７０の詳細については後述する。
【００３５】
次に、背板２０の詳細について、新たな図面を参照して説明する。図５は、壁面に取り付けられた状態の背板を示す斜視図である。図６は、図５に示す背板の四角で囲んだ部分を拡大した斜視図である。
【００３６】
背板２０は、壁面ＷＬに固定されて、筐体１０を取り付けるための台座となる。背板２０は、背面板２１と、上面保持板２２と、周囲保持板２３とを有している。
【００３７】
背面板２１は、長方形の平板である。上面保持板２２は、背面板２１を壁面ＷＬに取り付けたときに、上側の長辺から立設している。また、周囲保持板２３は、背面板２１の４辺のうち上面保持板２２が突出している辺以外の辺、すなわち、残りの長辺および２つの短辺から立設している。上面保持板２２、周囲保持板２３は、背面板２１に対して同じ方向に立設している。背面板２１と上面保持板２２および背面板２１と首位保持板２３とは一体に形成されている。なお、ここでは、背板２０は、金属板を切断して折り曲げる、すなわち、切り起こすことで形成されている。
【００３８】
背板２０は、背面板２１から上面保持板２２及び周囲保持板２３が立設していることで、平板だけの構成に比べて、曲げに対する強度を高めることが可能である。なお、上面保持板２２及び周囲保持板２３は、一部が連結されていてもよい。連結されることで、曲げに対する強度を更に高めることが可能である。
【００３９】
また、図５、図６に示すように、背面板２１には、複数個の貫通孔２１１が設けられている。背面板２１には、上面保持板２２及び周囲保持板２３が立設しているのと同じ側に柱部２１２が設けられている。柱部２１２は、中心部分に軸方向に延びるねじ孔が設けられている。ねじ孔の内面には、雌ねじが形成されている。貫通孔２１１は、背板２０を壁面ＷＬに取り付けるときに、壁面ＷＬにねじ込まれるねじが貫通する。このねじによって、背板２０の背面板２１は、壁面ＷＬに固定される。柱部２１２は、筐体１０のケース１１を固定するときに、ねじが螺合される。筐体１０には、後述するねじ止め部１１３が設けられており、ねじ止め部を貫通したねじを、柱部２１２に螺合させることで、ケース１１は、背板２０、すなわち、背面板２１に固定される。
【００４０】
上面保持板２２には、上方に向かって突出する筒部材２２１が設けられている。筒部材２２１には、軸方向に貫通する貫通孔が形成されている。筒部材２２１には、ねじＳｃが挿入される。ねじＳｃを、トップカバー３０に設けられている雌ねじ部（不図示）に螺合させて、トップカバー３０が上面保持板２２の上面に取り付けられる。このように、筒部材２２１を用いることで、上面保持板２２とトップカバー３０との間に、筒部材２２１の長さと同じ幅の隙間が形成される。
【００４１】
また、背板２０の背面板２１と壁面ＷＬとの間には、塵、埃等の固体の異物、水滴等の液体の異物が混入しないことが好ましい。背板２０を壁面ＷＬに取り付けた後、これらの異物の混入を抑制するために、背板２０の壁面ＷＬとの接触部分の周囲には、異物の混入を抑制するシールが施されている。なお、背面板２１を異物が混入しないように壁面ＷＬに密着できる場合、シールは省略してもよい。
【００４２】
次に、トップカバー３０の詳細について、新たな図面を参照して説明する。図７は、図４に示す送風装置のトップカバーの周囲を拡大した断面図である。図２、図４、図７等に示すように、トップカバー３０は、背板２０に設けられている。トップカバー３０は、壁面ＷＬと対向したときに、壁面ＷＬから手前側に向かって下方に傾斜する傾斜面３１を備えている。そして、傾斜面３１と連結し、上面保持板２２の筒部材２２１と接触する底面３２を備えている。
【００４３】
なお、傾斜面３１として、ここでは、平面としているが、これに限定されない。例えば、送風装置Ａの設置場所の条件に合わせて、凹曲面や凸曲面としてもよい。また、２個以上の平面を組み合わせた形状であってもよいし、曲率が異なる曲面を組み合わせてもよい。さらには、曲面と平面とを組み合わせてもよい。例えば、壁面ＷＬと接触する部分は曲面を用いて滑らかに接触させ、傾斜面を滑る異物の速度が落ちる手前側を、壁面ＷＬに近い部分よりも急傾斜にするようにしてもよい。トップカバー３０の上面への異物の付着、堆積が抑制される構成を広く採用することができる。
【００４４】
底面３２を上面保持板２２の上部に配置し、ねじＳｃを筒部材２２１に貫通させ、底面３２に設けられた雌ねじに螺合させる。このようにして、トップカバー３０は、上面保持板２２に固定される。トップカバー３０は、傾斜面３１、底面３２の長手方向の両側に側面が形成されている。また、壁面ＷＬと接触する部分には、面が設けられていないが、壁面ＷＬと接触する面が設けられていてもよい。トップカバー３０は、傾斜面３１と底面３２とを有し、壁面ＷＬと密着する構成のものを広く採用することができる。なお、背板２０と同様に、壁面ＷＬと接触する部分の外周をシールしてもよい。
【００４５】
ルーバ７０の詳細について、新たな図面を参照して説明する。図８は、本発明にかかる送風装置に備えられたルーバの斜視図である。図９は、図８に示すルーバを切断した断面を示す図である。
【００４６】
図８、図９に示すように、ルーバ７０は、曲面板７１と、枠部７２と、ヒンジ取付部７３とを備えている。曲面板７１は、一方向に湾曲しており、外周に枠部７２が一体的に設けられている。なお、曲面板７１は、長方形状の板を、短辺に沿って湾曲させた形状を有している。また、以下の説明で湾曲方向の内側、外側と説明する場合があるが、湾曲方向の内側は曲率中心が存在する側であり、外側はその反対側とする。
【００４７】
枠部７２は、曲面板７１の外周と一体で形成されている。枠部７２は、リブ７２１と、段７２２とを備えている。リブ７２１は、曲面板７１の外周から湾曲の外側に延びている。段７２２は曲面板７１とリブ７２１との接続部分で、曲面板７１の内側に設けられた切欠き状の溝である。なお、曲面板７１が十分な強度を有する場合、リブ７２１を省略してもよい。
【００４８】
ヒンジ取付部７３には、ルーバ７０とカバー７１とを接続するヒンジ（不図示）が固定される。ヒンジ取付部７３は、曲面板７１の一方の長辺部に複数個、ここでは、２個設けられている。なお、ヒンジ取付部７３の個数は、２個に限定されず、ヒンジがルーバ７０を回転可能に支持することができる個数、設けられる。図８、図９に示すように、ヒンジ取付部７３は、曲面板７１の湾曲方向の内側の面７１０に設けられており、ヒンジの一部が曲面板７１の湾曲方向の内側の面７１０から突出しないように、凹形状となっている。
【００４９】
ヒンジは、ルーバ７０を回転可能に支持する部材であり、従来よく知られた構成であるため、詳細は初略する。なお、本発明の送風装置Ａでは、手動でルーバ７０を回転させて、吹出し口１６を開閉するものである。そして、ルーバ７０は吹出し口１６から吹出される空気の向きを調整するものであるため、可動域内の任意の位置で停止できることが好ましい。そのため、ルーバ７０には、ヒンジ回りの回転を制動する制動部材（不図示）が設けられている。
【００５０】
次にルーバ７０による吹出し口１６の開閉について説明する。曲面板７１の内側の面７１０は、ケース１１の吹出し口１６の周囲の曲面形状と同じ曲面形状となっている。図３、図４に示すように、ルーバ７０を閉じたときに、曲面板７１がケース１１の外面に密着する。これにより、吹出し口１６が閉じられる。このとき、曲面板７１の外周部分に設けられている枠部７２の段７２２は、ケース１１と枠部７２との隙間となる。
【００５１】
次に本発明にかかる送風装置Ａの壁面ＷＬへの取り付けについて図面を参照して説明する。図１０は、壁面に取り付けられた背板への筐体の取り付けを示す斜視図である。図１１は、壁面に取り付けられた筐体にフィルタユニットを取り付けた状態を示す斜視図である。図１２は、本発明にかかる送風装置を壁面に取り付けた状態を示す斜視図である。
【００５２】
なお、図１０、図１１では、トップカバーの表示を省略しているが、実際には、背板２０の上面保持板２２には、トップカバー３０が取り付けられている。図１１、図１２は、壁面ＷＬの使用者よりも高い位置に取り付けられている状態を示している。すなわち、図１１、図１２は、使用状態において、使用者が送風装置Ａを見た状態を示している。
【００５３】
送風装置Ａを取り付けるときには、まず、壁面ＷＬに背板２０を固定する。背面板２１に設けられている貫通孔２１１に、ねじを通し、壁面ＷＬにねじ止めを行う（図５、図６等参照）。そして、背板２０を壁面ＷＬに取り付け、ねじで固定した後、背板２０と壁面ＷＬの隙間をシールする。なお、シール材としては、シリコン、ウレタン等を挙げることができるが、これに限定されない。背板２０と壁面ＷＬの間への水や異物の侵入を抑制できるものを広く採用することができる。背板２０は、ねじ止め後にシールを行うことで、壁面ＷＬにしっかり固定される。
【００５４】
図１０に示すように、筐体１０のケース１１を背板２０に取り付ける。このとき、ケース１１の内部には、送風ユニット４０、イオン発生ユニット６０及びその補機類が組み込まれている。図３、図４に示すように、ケース１１は、背面側の開口１１１の内面が、背板２１の上面保持板２２及び周囲保持板２３に外側から接触することで、取り付けられる。そして、ケース１１の上面１１０は、上面保持板２２とトップカバー３０の底面３２の間の隙間に収納される。
【００５５】
トップカバー３０は上面保持板２２に筒部材２２１を介して保持されており、ケース１１の上面１１０に形成されたスリット１１２に筒部材２２１が侵入する。このように、スリット１１２が設けられていることで、ケース１１の上面１１０を上面保持板２２に取り付けることが可能である。そして、ケース１１の周囲を形成する壁部の上面１１０以外の部分は、周囲保持板２３と重なる。このとき、ケース１１の上面１１０は上面保持板２２とその他の壁部は周囲保持板２３と密着する。このように、上面１１０が上面保持板２２とその他の壁部が周囲保持板２３と密着することで、背板２０とケース１１の隙間から水や異物のケース１１の内部への侵入が抑制される。
【００５６】
そして、上面１１０は、上面保持板２２と密着するとともに、トップカバー３０とも密着する。これにより、トップカバー３０とケース１１との間への水や異物の侵入を抑制することができる。なお、背板２０の上面保持板２２及び周囲保持板２３と、ケース１１とを密着させるために、上面保持板２２及び周囲保持板２３の弾性力を利用している。すなわち、上面保持板２２及び周囲保持板２３を弾性変形可能に形成しておき、ケース１１を外側から取り付けることで、上面保持板２２及び周囲保持板２３がケース１１を外側に押す。このように弾性変形することで、背板２０とケース１１とが密着する。なお、弾性力以外の方法で密着させてもよい。
【００５７】
ケース１１には、ねじ止めを行うためのねじ止め部１１３が設けられている。ねじ止め部１１３は、例えば、フィルタ保持部１３やフロントカバー１２が取り付けられる開口部分に設けられている（図１０等参照）。ねじ止め部１１３は、背板２０の背面板２１の柱部２１２と前後方向に重なる位置に設けられている。ねじ止め部１１３は、不図示の貫通孔を有しており、貫通孔を貫通させたねじを柱部２１２に螺合させる。ケース１１は背板２０にねじ止めにて固定される。
【００５８】
そして、背板２０に取り付けられたケース１１のフィルタ保持部１３に第１フィルタ５１、第２フィルタ５２が取り付けられたフィルタホルダ５３を取り付ける。なお、フィルタホルダ５３とフィルタ保持部１３との間に隙間があると、その隙間から空気が流れ、第１フィルタ５１、第２フィルタ５２で異物を捕集する効率が低下する。そのため、フィルタホルダ５３とフィルタ保持部１３とは気密に密着して取り付けられる。このとき、フィルタホルダ５３とフィルタ保持部１３との間の水の流れも抑制される。
【００５９】
そして、フィルタユニット５０をフィルタ保持部１３に取り付けたのち、吸込口１５を覆うようにフロントカバー１２を取り付ける。フロントカバー１２を取り付けることで、送風装置Ａの壁面ＷＬへの取り付けが完了する。
【００６０】
本発明にかかる送風装置Ａは、送風装置Ａの壁面への取り付けに用いる背板２０で筐体１０の背面を覆う背面部材として活用している。すなわち、送風装置Ａでは、送風ユニット４０が配置される、通風路１４は、ケース１１と背板２０とで形成される。このような構成となっていることで、構成部材の数を減らすことができる。また、背面部材を省略することで、背板２０とケース１１とを直接取り付けることができるため、送風装置Ａを壁面ＷＬに強固に固定することが可能となる。なお、送風装置Ａは、ねじ止めで壁面ＷＬに固定されているため、着脱が容易である。これにより、メンテナンス等で取り外す場合の手間を減らすことが可能である。
【００６１】
また、背板２０を筐体１０の背面部材として用いることで、筐体１０は軽量化が可能である。筐体１０が軽量化されたことで、背板２０に筐体１０を取り付けたときの背板２０にかかる荷重を減らすことができ、背板２０の変形を抑制することができる。これにより、壁面ＷＬと背板２０との間や筐体１０と背板２０との間に隙間ができるのを抑制することができる。
【００６２】
さらに、筐体１０が上面保持板２２および周囲保持板２３を外嵌して取り付けられるので、筐体１０を背板２０に密着させて取り付けることが可能である。送風装置Ａは、背板２０が壁面ＷＬに密着しているとともに、背板２０とケース１１とが密着しているため、送風装置Ａの内部に、第１フィルタ５１及び第２フィルタ５２を通過していない空気が流入するのを抑制することが可能である。また、フィルタホルダ５３とフィル保持部１３も密着しているので、ケース１１内部への水の侵入を抑制することが可能である。
【００６３】
本発明にかかる送風装置Ａでは、異物が堆積しやすい上部に、手前に傾斜した傾斜面３１を有するトップカバー３０を設けている。送風装置Ａが、トップカバー３０を設けていることで、塵、埃等が傾斜面３１を滑って、送風装置Ａから落下する。送風装置Ａは前面に空気を吸い込むための吸込口１５（フロントカバー１２の開口１２１）が設けられているため、送風装置Ａが動作しているときは、異物は吸込口１５から吸い込まれる空気とともに、吸込口１５に吸い込まれる。そして、フィルタユニット５０の第１フィルタ５１または第２フィルタ５２に捕集される。すなわち、トップカバー３０を有するとともに、前面に吸込口１５が設けられていることで、上面に異物が堆積しにくく、異物が傾斜面３１を滑って落下しても、フィルタユニット５０で捕集できる。
【００６４】
また、送風装置Ａが停止しているときも、上部への異物の堆積が抑制される。そして、このとき、異物が送風装置Ａの下方に落下するため、下方（例えば、床面）の清掃で異物の除去を行うことができる。さらに、傾斜面３１と壁面ＷＬとの角度が緩い角度であるため、送風装置Ａの上面に空気の吹き溜まりが形成されにくく、このことからも異物の堆積が抑えられる。
【００６５】
通常、送風装置Ａは、作業の邪魔にならないように、作業者よりも上部に設けられることがほとんどである。そして、傾斜面３１を有するトップカバー３０を設けていることで、使用者が送風装置Ａの上面、ここでは、傾斜面３１を視認しやすく、異物が付着していても、すぐに発見し、除去することができる。これにより、送風装置Ａの上面に付着した異物を、効率よく除去することが可能である。
【００６６】
また、送風装置Ａを設置する空間の内部全体を水洗いする場合もある。空間内部で水洗いが行われる場合、送風装置Ａにも多量の水がかかる。本発明にかかる送風装置Ａでは、壁面ＷＬと背板２０及びトップカバー３０、ケース１１と背板２０及びトップカバー３０がそれぞれ密着しているので、これらの間からの水の侵入が抑制される。さらに、フロントカバー１２に設けられた空気取り入れようの開口１２１は水の侵入を許すが、フィルタ保持部１３とフィルタホルダ５３とが密着しているので、それより内部への水の侵入は抑制される。以上のように、水洗いを行っても、本発明の送風装置Ａの内部、に水が侵入するのを防ぎ、内部の電気機器の故障を抑制することが可能である。
【００６７】
また、送風装置Ａは、使用される空間によっては、下部で発生する水蒸気が接触し、結露する場合もある。このような結露が発生しても、上述しているように水が流入する隙間が無いので、ケース１１の内部への水の侵入を抑制できる。
【００６８】
フロントカバー１２において、水洗いによるまたは結露による水滴が付着し、その水滴が下方に流れ落ちる場合がある。フロントカバー１２の下部には、吹出し口１６が設けられている。吹出し口１６には、ルーバ７０によって開閉される。ルーバ７０は、曲面板７１がケース１１の外面と密着して、吹出し口１６を閉じるため、吹出し口１６からの水の侵入を抑制できる。また、ルーバ７０が閉じているときには、枠体７２の段７２２がルーバ７０の段７２２がケース１１との間の溝となる。ケース１１およびフロントカバー１２を流下した水滴は、この溝に流れ込むとともに溝に沿って流れて、その後、ルーバ７０から下に滴下する。これにより、水滴がルーバ７０とケース１１との隙間への水の流入を抑制できる。
【００６９】
本発明にかかる送風装置Ａは、上部に空気中に浮遊している塵、埃等の異物が堆積するのを抑制することができる。また、その堆積した異物に雑菌が繁殖しやすいが、上部に異物が堆積しにくいので、雑菌等の繁殖を抑制し、空間を清浄な状態に維持することが可能である。これにより、例えば、食品、医薬品、医療機器、電子機器等を取り扱う空間に設置することが可能である。また、このような空間に設けられる場合、空間の入り口の上部に空気を吹き付けて、入り口の近傍に空気の層（いわゆる、エアカーテン）を形成するようにしてもよい。
【００７０】
以上示した実施形態では、空気を清浄にするフィルタユニットとイオン発生ユニットを備えた送風装置、いわゆる、空気清浄化装置であるが、これに限定されるものではない。例えば、加湿ユニットを備えた加湿機、除湿ユニットを備えた除湿機であってもよい。また、これら両方を備えた装置であってもよい。空気を吸い込み、所定の方向（使用者がルーバで決める）に空気を吐出する装置に対して広く採用することができる。
【００７１】
以上、本発明の実施形態について説明したが、本発明はこの内容に限定されるものではない。また本発明の実施形態は、発明の趣旨を逸脱しない限り、種々の改変を加えることが可能である。
【００７２】
以上説明した本発明にかかる送風装置は、壁面ＷＬに取り付けられ、筐体１０と、壁面ＷＬに固定されるとともに筐体１０が取り付けられる背板２０とを備え、背板２０は、筐体１０が取り付けられる部分の上部に壁面ＷＬから手前に向かって下方に傾斜する傾斜部材３０を備えている。
【００７３】
このような構成とすることで、送風装置Ａの上面に塵、埃等の異物が載っても、傾斜部材３０を滑って落下しやすく、上面に異物が付着したり堆積したりするのを抑制することができる。また、傾斜部材３０を滑った異物は、送風装置Ａの下部に落下する。送風装置Ａの下方（例えば、床面）の清掃でよく、周囲の環境を清浄に保つための手間を少なくすることができる。さらには、上面が手前に向かって傾斜しているので、使用者の目線よりも高い位置に設置されていても、送風装置Ａの上面を視認しやすく、使用者は、異物が堆積する前に付着した異物を取り除くことが可能である。
【００７４】
（第２実施形態）
上述した送風装置は、傾斜部材３０が、背板１０に対して着脱可能であってもよい。
【００７５】
（第３実施形態）
上述した送風装置は、背板２０が、筐体１０の背面を覆う背面部材として利用されていてもよい。このような構成とすることで、送風装置Ａの部品点数を減らすことが可能である。また、筐体１０の重量を減らすことが可能であるため、背板２０にかかる重量を減らすことができる。これにより、背板１０の変形を抑制することができ、背板２０と壁面ＷＬとの間に隙間ができるのを抑制することが可能である。
【００７６】
（第４実施形態）
上述した送風装置は、背板２０が周縁部から突出する突出部２２、２３を備えており、筐体１０が突出部２２、２３に外嵌してもよい。このように構成することで、背板２０と筐体１０とを密着させることができる。なお、背板２０と壁面ＷＬとの境界部分にシール部が設けられていてもよい。シール部が設けられることで、壁面ＷＬと背板２０との間に隙間が形成されにくくなり、水等が侵入しにくくなる。
【００７７】
（第５実施形態）
上述した送風装置は、筐体１０が、空気を吹出す吹出し口１６を備えおり、吹出し口１６を開閉するルーバ７０が設けられており、ルーバ７０は吹出し口１６の周囲と密着する内面７１０を有し、辺縁部分７２の内面側に段７２２が設けられていてもよい。
【００７８】
このような構成とすることで、ルーバ７０が閉じられているときは、吹出し口１６も閉じられているので、水洗い時の水しぶきや水蒸気が吹出し口から侵入するのを抑制できる。また、筐体１０の外面に付着した水滴が筐体１０の外面に沿って流れ落ちてきた場合でも、ルーバ７０の段７２２が水を逃がす溝として働くため、表面の水を迅速に、下方に排出することが可能である。なお、ルーバ７０の段７２２は、使用者がルーバ７０を手動で開閉するときに指をかける部分としても利用される。
【００７９】
（第６実施形態）
上述した送風装置は、前記背板と前記壁面との境界部分にシール部が設けられていてもよい。
【００８０】
（第７実施形態）
上述した送風装置は、前記筐体の内部に設けられ、前記吹出し口から吹出される空気にイオンを供給するイオン発生部を備えていてもよい。
【符号の説明】
【００８１】
Ａ  送風装置
１０  筐体
１１  ケース
１１０  上面
１１１  開口
１１２  スリット
１１３  ねじ止め部
１２  フロントカバー
１２１  開口
１３  フィルタ保持部
１４  通風路
１５  吸込口
１６  吹出し口
２０  背板
２１  背面板
２２  上面保持板
２２１  筒部材
２３  周囲保持板
３０  トップカバー
３１  傾斜面
３２  底面
４０  送風ユニット
４１  ファン
４２  モータ
５０  フィルタユニット
５１  第１フィルタ
５２  第２フィルタ
５３  フィルタホルダ
６０  イオン発生ユニット
６１  イオン電極
７０  ルーバ
７１  曲面板
７１０  内側の面
７２  枠部
７２１  リブ
７２２  凹部
７３  ヒンジ取付部
【図１】
0006584922.tif 000002
【図２】
0006584922.tif 000003
【図３】
0006584922.tif 000004
【図４】
0006584922.tif 000005
【図５】
0006584922.tif 000006
【図６】
0006584922.tif 000007
【図７】
0006584922.tif 000008
【図８】
0006584922.tif 000009
【図９】
0006584922.tif 000010
【図１０】
0006584922.tif 000011
【図１１】
0006584922.tif 000012
【図１２】
0006584922.tif 000013